(57)【特許請求の範囲】
【請求項１】
液滴を排出させる排出機構と、前記排出機構から排出された前記液滴を押し流す流体が流れる流路と、前記流路内の前記液滴を含む流体を外部に噴射する噴射孔と、押圧操作を受け付けて前記流路内の前記液滴を含む流体を前記噴射孔から噴射させる圧力を発生させるポンプと、を具備し、
前記ポンプは、通話を指示する通話ボタンに一体的に組み込まれ、前記ポンプの被押圧部は、前記通話ボタンの上面で構成されることを特徴とする移動体端末装置。
【請求項２】
前記排出機構は、前記液滴として前記流路に排出される液体を収納するタンク及びこのタンクに収納された前記液体を前記液滴として前記流路に排出する排出ヘッドを有し、前記排出ヘッドを駆動制御する制御部を更に具備することを特徴とする請求項１記載の移動体端末装置。
【請求項３】
前記排出ヘッドは、前記流路に対して前記液滴を噴出することを特徴とする請求項２記載の移動体端末装置。
【請求項４】
前記排出ヘッドは、前記流路に突出するノズルを有し、当該ノズルの先端部から前記流路上に前記液滴を染み出させることを特徴とする請求項２記載の移動体端末装置。
【請求項５】
各種音声を出力する音声出力部及び各種情報を表示する表示部を更に具備し、前記制御部は、前記排出ヘッドを駆動制御する一方、前記音声出力部及び表示部の少なくとも一方で前記ポンプの押圧操作タイミングを報知することを特徴とする請求項２から請求項４のいずれかに記載の移動体端末装置。
【請求項６】
前記制御部は、操作部から受け付けた前記流体の噴射指示に応じて前記排出ヘッドを駆動制御する一方、前記ポンプの押圧操作タイミングを報知することを特徴とする請求項５記載の移動体端末装置。
【請求項７】
前記制御部は、装置本体に対する着信検出に応じて前記排出ヘッドを駆動制御する一方、前記ポンプの押圧操作タイミングを報知することを特徴とする請求項５記載の移動体端末装置。
【請求項８】
前記制御部は、前記音声出力部に着信音を出力させる一方、前記表示部に着信画面を表示させることで前記ポンプの押圧操作タイミングを報知することを特徴とする請求項７記載の移動体端末装置。
【請求項９】
前記噴射孔の位置を変更する噴射位置変更機構を更に具備し、前記制御部は、装置本体の動作モードに応じて前記噴射孔の位置を変更させることを特徴とする請求項１から請求項８のいずれかに記載の移動体端末装置。
【発明の詳細な説明】
【技術分野】
【０００１】
本発明は、移動体端末装置に関し、特に、装置内部に収納される液体を液滴として外部に噴射可能な移動体端末装置に関する。
【背景技術】
【０００２】
従来、香水を噴霧する香水噴霧装置を備え、操作ボタンの押下や装置本体に対する着信等に応じて香水噴霧装置から香りを噴霧する携帯電話が提案されている（例えば、特許文献１参照）。香水噴霧装置は、香水を格納するチャンバーを備え、チャンバー内の香水に圧力を加えることでノズルから噴霧する。なお、チャンバー内の香水に圧力を加える圧力ユニットは、加熱器やピエゾ素子ユニット又は超音波励起ユニットで構成されている。
【特許文献１】米国特許出願公開第２００６／００６２４０８号明細書
【発明の開示】
【発明が解決しようとする課題】
【０００３】
しかしながら、上述したような従来の携帯電話においては、チャンバーに格納された香水を加熱器等で発生させた圧力でノズルから噴霧する構成を採ることから、噴霧される香水の到達距離が短く、ユーザにおいて感知することが困難であるという問題がある。仮にユーザにおいて確実に感知できるように噴霧される香水の到達距離を確保する場合には、携帯電話機における電力消費が大きくなるという問題がある。
【０００４】
本発明は、このような問題点に鑑みて為されたものであり、感知対象となる液滴を含む流体の噴射距離を確保して当該液滴をユーザが感知し易い移動体通信装置を提供することを目的とする。
【課題を解決するための手段】
【０００５】
本発明の移動体端末装置は、液滴を排出させる排出機構と、前記排出機構から排出された前記液滴を押し流す流体が流れる流路と、前記流路内の前記液滴を含む流体を外部に噴射する噴射孔と、押圧操作を受け付けて前記流路内の前記液滴を含む流体を前記噴射孔から噴射させる圧力を発生させるポンプと、を具備し、前記ポンプは、通話を指示する通話ボタンに一体的に組み込まれ、前記ポンプの被押圧部は、前記通話ボタンの上面で構成されることを特徴とする。
【０００６】
この構成によれば、排出機構から排出された液滴を押し流す流体が流れる流路を設け、この流路内の液滴を含む流体を噴射孔から噴射するようにしたことから、液滴を単独で噴射（噴霧）する場合と比べて離れた位置まで液滴を含む流体を噴射することができるので、感知対象となる液滴を含む流体の噴射距離を確保して当該液滴をユーザが感知し易い移動体通信装置を提供することが可能となる。また、ポンプに対する押圧操作に伴って発生する圧力により流路内の液滴を含む流体を噴射させることから、流体を噴射する際のエネルギーをユーザの押圧操作によって供給することができるので、電力消費を必要とすることなく、液滴を含む流体をユーザが感知し易い位置まで噴射することが可能となる。さらに、ポンプの被押圧部が操作ボタンの一部を構成することから、装置本体における操作ボタンのレイアウトを維持しつつ、流路内の液滴を含む流体の噴射指示に用いられるポンプを配置することが可能となる。
【０００９】
例えば、本発明の移動体端末装置において、前記排出機構は、前記液滴として前記流路に排出される液体を収納するタンク及びこのタンクに収納された前記液体を前記液滴として排出する排出ヘッドを有し、前記排出ヘッドを駆動制御する制御部を更に具備する。この場合には、制御部による駆動制御により排出ヘッドから流路内に液滴を排出することができるので、例えば、ユーザの所望のタイミング、或いは、装置本体に対する着信時等のタイミングに応じて流路内に液滴を排出することが可能となる。
【００１０】
例えば、本発明の移動体端末装置において、前記排出ヘッドは、前記流路に対して前記液滴を噴出する構成を採ることや、前記流路に突出するノズルを有し、当該ノズルの先端部から前記流路上に前記液滴を染み出させる構成を採ることが考えられる。このような構成を採用することにより、流路内に適切に液滴を排出することが可能となる。
【００１１】
また、本発明の移動体端末装置においては、各種音声を出力する音声出力部及び各種情報を表示する表示部を更に具備し、前記制御部は、前記排出ヘッドを駆動制御する一方、前記音声出力部及び表示部の少なくとも一方で前記ポンプの押圧操作タイミングを報知することが好ましい。この場合には、排出ヘッドの駆動制御と関連付けて音声出力部等でポンプの押圧操作タイミングを報知することができるので、適切なポンプの押圧操作タイミングによる押圧操作をユーザに促すことが可能となる。
【００１２】
特に、本発明の移動体端末装置において、前記制御部は、操作部から受け付けた前記流体の噴射指示に応じて前記排出ヘッドを駆動制御する一方、前記ポンプの押圧操作タイミングを報知することが好ましい。この場合には、操作部から受け付けた流体の噴射指示に応じて排出ヘッドが駆動制御されることから、ユーザの所望のタイミングで流路内に液滴を噴出させることが可能となる。また、流体の噴射指示に伴う排出ヘッドの駆動制御と関連付けて音声出力部等でポンプの押圧操作タイミングを報知することができるので、流体の噴射指示に対応する適切なポンプの押圧操作タイミングによる押圧操作をユーザに促すことが可能となる。
【００１３】
また、本発明の移動体端末装置において、前記制御部は、装置本体に対する着信検出に応じて前記排出ヘッドを駆動制御する一方、前記ポンプの押圧操作タイミングを報知するようにしても良い。この場合には、装置本体に対する着信検出に応じて排出ヘッドが駆動制御されることから、音声通話着信やメール着信等のタイミングに応じて流路内に液滴を排出させることが可能となる。また、着信検出に伴う排出ヘッドの駆動制御と関連付けて音声出力部等でポンプの押圧操作タイミングを報知することができるので、着信検出に対応する適切なポンプの押圧操作タイミングによる押圧操作をユーザに促すことが可能となる。
【００１４】
例えば、本発明の移動体端末装置において、前記制御部は、前記音声出力部に着信音を出力させる一方、前記表示部に着信画面を表示させることで前記ポンプの押圧操作タイミングを報知することが考えられる。この場合には、着信音又は着信画面でポンプの押圧操作タイミングを報知することができるので、通常の処理との違和感を覚えさせることなく、適切なポンプの押圧操作タイミングによる押圧操作をユーザに促すことが可能となる。
【００１５】
本発明の移動体端末装置においては、前記噴射孔の位置を変更する噴射位置変更機構を更に具備し、前記制御部は、装置本体の動作モードに応じて前記噴射孔の位置を変更させるようにしても良い。この場合には、装置本体の動作モードに応じて噴射孔の位置を変更することができるので、ユーザの利用態様に応じて適切に流路内の液滴を含む流体をユーザが感知し易い位置に噴射することが可能となる。
【発明の効果】
【００１６】
本発明によれば、排出機構から排出された液滴を押し流す流体が流れる流路を設け、この流路内の液滴を含む流体を噴射孔から噴射するようにしたことから、液滴を単独で噴射（噴霧）する場合と比べて離れた位置まで噴射することができるので、感知対象となる液滴を含む流体の噴射距離を確保して当該液滴をユーザが感知し易い移動体通信装置を提供することが可能となる。
【発明を実施するための最良の形態】
【００１７】
以下、本発明の実施の形態について添付図面を参照して詳細に説明する。なお、以下においては、本発明に係る移動体端末装置を携帯電話機に具現化した場合について説明するが、本発明が適用される対象としては必ずしも携帯電話機に限定されるものではない。
【００１８】
（実施の形態１）
図１は、本発明の実施の形態１に係る携帯電話機１における要部を説明するための模式図である。図１においては、本実施の形態に係る携帯電話機１における要部の断面について示している。図１に示すように、携帯電話機１の筐体１ａには、液滴を排出させる排出機構２と、この排出機構２から排出された液滴を押し流す流体（気体）が流れる流路３と、この流路３内の流体（液滴を含む気体）を外部に噴射する噴射孔４とが設けられている。
【００１９】
また、携帯電話機１には、流路３内の液滴を含む流体を噴射孔４から噴射させる圧力を発生させるポンプ５が設けられている。ポンプ５は、流路３の一部に連結して設けられている。このポンプ５をユーザが押圧することで流路３の内部の流体を噴射孔４から噴射させる圧力が発生する。なお、ポンプ５は、図１に示す非押圧状態（初期状態）に復帰する復帰力を有するチャンバー部５ａを有しており、ユーザによる押圧操作から解放されると初期状態に復帰するように構成されている。
【００２０】
また、流路３の一部を構成する携帯電話機１の内壁面には、バルブ６が設けられている。ポンプ５のチャンバー部５ａの復帰力によりポンプ５が初期状態に復帰する際に必要な空気がバルブ６を介して吸引される。なお、バルブ６は、ユーザによりポンプ５が押圧されている間は閉じて、流体を排出させるための圧力を維持し、押圧されていない状態においても、流路３への空気の浸入を制限する働きをする。
【００２１】
排出機構２は、携帯電話機１から流体に含まれる液滴として噴射とされる液体Ｌを収納するタンク２１と、このタンク２１内の液体Ｌを液滴として流路３内に排出する液滴排出ヘッド２２と、タンク２１内の液体を液滴排出ヘッド２２に供給する供給管２３とで構成される。なお、図１においては、３つの液滴排出ヘッド２２ａ〜２２ｃが設けられている場合について示している。また、図１においては、液滴排出ヘッド２２ｂ、２２ｃに連結される供給管２３を省略している。これらの供給管２３は、タンク２１に連結され、同一の液体Ｌを液滴排出ヘッド２２ｂ、２２ｃに供給するものとなっている。なお、ここでは、それぞれ液滴排出ヘッド２２ａ〜２２ｃに連結される供給管２３が単一のタンク２１に連結される場合について説明しているが、排出機構２の構成については、これに限定されるものではない。液滴排出ヘッド２２ａ〜２２ｃにそれぞれ連結される異なるタンク２１を備え、供給管２３を介して液体Ｌ（或いは、複数種類の液体）を供給するようにしても良い。
【００２２】
タンク２１には、収納される液体Ｌから香りや蒸気などが漏れないように不溶性の異なる液体Ｌ´が収納されると共に、この液体Ｌ´を介して液体Ｌを押し出す空気を供給する一方、液体Ｌ´等の逆流を防止するバルブ２１ａが設けられている。このバルブ２１ａから供給される空気により液体Ｌが供給管２３を介して液滴排出ヘッド２２ａ〜２２ｃに供給可能に構成されている。なお、柔軟性を有する素材でタンク２１を形成し、その容積を変化させることで液体Ｌを液滴排出ヘッド２２ａ〜２２ｃに供給するようにしても良い。
【００２３】
液滴排出ヘッド２２ａ〜２２ｃは、インクジェットヘッドで構成され、タンク２１から供給された液体Ｌを微小な液滴にして流路３内に噴出する。液滴排出ヘッド２２ａ〜２２ｃには、それぞれ流路３の内底面に連結される噴出ノズル２２ｄ〜２２ｆと、液滴排出ヘッド２２ａ〜２２ｃ内の液体Ｌを噴出ノズル２２ｄ〜２２ｆから液滴として噴出させるピエゾ素子２２ｇ〜２２ｉとを有している。ピエゾ素子２２ｇ〜２２ｉに電気信号を供給して変形させることで液滴排出ヘッド２２ａ〜２２ｃ内の液体Ｌを液滴として流路３内に噴出可能となっている。
【００２４】
液滴排出ヘッド２２ａ〜２２ｃへの電気信号の供給は、制御部７により制御される。制御部７による制御により液滴排出ヘッド２２ａ〜２２ｃから流路３内に液滴を噴出するので、例えば、ユーザの所望のタイミング、或いは、装置本体に対する着信時等のタイミングに応じて流路３内に液滴を噴出できるようになっている。なお、この制御部７の詳細な構成については後述する。なお、ここでは、液滴排出ヘッド２２ａ〜２２ｃがピエゾ素子２２ｇ〜２２ｉを有するピエゾ方式のインクジェットヘッドで構成される場合について示しているが、これ以外にも、ピエゾ素子２２ｇ〜２２ｉの代わりにヒータを用いたサーマル方式のインクジェットヘッドで構成するようにしても良い。
【００２５】
流路３は、携帯電話機１の筐体１ａ内において一定長さに設けられている。流路３における噴射孔４の近傍は、その断面積が噴射孔４に接近するに連れて小さくなっており、ポンプ５に対する押圧操作に伴う圧力により押し出される流体はこの部分で加速される。流路３の内壁面には、テフロン（登録商標）などの濡れ性が低い材料で表面処理が施されている。これは、排出機構２から噴出された液滴が流路３の内壁面に付着するのを避け、ポンプ５の押圧操作に伴って発生する圧力に応じて噴射孔４から噴射され易くするためである。なお、表面処理を施すのでなく、濡れ性の低い材料で流路３の内壁面を製作することも可能である。
【００２６】
噴射孔４は、流路３の端部に設けられている。図１に示すように、流路３においては、その一端にバルブ６が設けられ、このバルブ６の近傍にポンプ５が設けられている。また、その他端に噴射孔４が設けられ、この噴射孔４とポンプ５との間における内底面に排出機構２の液滴排出ヘッド２２ａ〜２２ｃが配置されている。ポンプ５が押圧されると、流路３内に図１に示す矢印のような気流が発生する。そして、液滴排出ヘッド２２ａ〜２２ｃから噴出された液滴が気体に押し流され、液滴を含む流体として噴射孔４から噴射するものとなっている。
【００２７】
図２は、本実施の形態に係る携帯電話機１の構成を示すブロック図である。なお、図２に示す携帯電話機１の構成については、本発明を説明するために簡略化したものであり、通常の携帯電話機１が有する機能を備えているものとする。図２に示すように、携帯電話機１は、装置全体の制御を行う制御部７と、この制御部７に接続される液滴排出ヘッド（以下、「排出ヘッド」という）２２ａ〜２２ｃ、通信部８、操作部９、表示部１０、音声入力部１１及び音声出力部１２とを有している。
【００２８】
制御部７は、制御部７の全体の制御を行う全体制御部７０と、排出ヘッド２２ａ〜２２ｃの駆動、すなわち、排出ヘッド２２ａ〜２２ｃにおける液滴の排出動作を制御する排出制御部７１と、通信部８による通信を制御する通信制御部７２と、操作部９に対する操作入力を検出する操作検出部７３と、表示部１０における情報表示を制御する表示制御部７４と、音声入力部１１に対する音声入力信号及び音声出力部１２に対する音声出力信号を制御する音声制御部７５とを有している。
【００２９】
通信部８は、例えば、音声通話や電子メール通信などに必要となる通信を行う。例えば、発信信号の送信や、着信信号の受信等の処理を行う。操作部９は、携帯電話機１に対する操作入力を受け付ける。例えば、発信指示やメール送信指示等の指示入力を受け付ける。表示部１０は、携帯電話機１の操作状態に応じて各種の情報を表示する。例えば、操作入力用のメニュー画面や、着信画面等を表示する。音声入力部１１は、マイクロフォン等で構成され、例えば、ユーザから発せられた音声を受け付ける。音声出力部１２は、スピーカ等で構成され、例えば、操作音や着信音などを出力する。
【００３０】
このような構成を有し、制御部７は、例えば、操作部９を介して入力された液滴を含む流体の噴射指示を検出し、或いは、外部からの着信（音声着信又はメール着信）を検出した場合に排出ヘッド２２ａ〜２２ｃに液滴を噴出させる。なお、液滴を噴出させる契機については、これに限定されるものではなく適宜変更が可能である。例えば、音声入力部１１で受け付けた液滴を含む流体の噴射指示を含む音声指示や、Ｗｅｂサイトの閲覧中における特定の内容（例えば、香りを連想させる内容）を含むＷｅｂページのダウンロード等に応じて液滴を噴出させるようにしても良い。
【００３１】
また、制御部７は、ポンプ５の押圧操作タイミングを報知する。具体的には、表示部１０で押圧操作タイミングを指示する内容を含む画面データを表示させたり、音声出力部１２で同様の内容を含む音声データを出力させたりする。これにより、適切なポンプ５の押圧操作タイミングによる押圧操作をユーザに促すことが可能となる。なお、押圧操作タイミングを報知する態様については、これに限定されるものではなく適宜変更が可能である。例えば、携帯電話機１におけるバイブレータ機能を利用して振動で報知するようにしても良い。
【００３２】
以下、本実施の形態に係る携帯電話機１において、液滴を噴出させると共に、ポンプ５の押圧操作タイミングを報知する場合の動作について説明する。図３及び図４は、本実施の形態に係る携帯電話機１において、液滴を噴出させると共にポンプ５の押圧操作タイミングを報知する場合の動作について説明するためのシーケンス図である。図３においては、操作部９を介して入力された液滴を含む流体の噴射指示に応じて液滴を噴出させる場合について示し、図４においては、外部からの着信（音声着信又はメール着信）検出に応じて液滴を噴出させる場合について示している。
【００３３】
携帯電話機１を操作するユーザから操作部９を介して液滴を含む流体の噴射指示が入力された場合、図３に示すように、操作検出部７３によりその噴射指示が検出される（ステップ（以下、「ＳＴ」という）３１）。なお、操作部９からの液滴を含む流体の噴射指示は、例えば、当該流体を噴射するためのアプリケーションを起動した状態から行うことが考えられるが、これに限定されるものではない。例えば、この液滴を含む流体の噴射指示には、液滴を噴出する排出ヘッド２２ａ〜２２ｃを特定する指示や、噴出する液滴の量を特定する指示を含めるようにしても良い。
【００３４】
この液滴を含む流体の噴射指示を検出すると、操作検出部７３から全体制御部７０に対してその旨を示す噴射指示検出信号が送出される（ＳＴ３２）。この噴射指示検出信号を受け取ると、全体制御部７０から排出制御部７１に対して噴出を指示する噴出指示信号が送出される（ＳＴ３３）。なお、この噴出指示信号には、上述したようなユーザからの指示に応じて液滴を噴出する排出ヘッド２２ａ〜２２ｃを特定する指示等を含めるようにしても良い。
【００３５】
この噴出指示信号を受け取ると、排出制御部７１から排出ヘッド２２ａ〜２２ｃに対して液滴の噴出を指示する電気信号が出力される（ＳＴ３４）。これに応じて排出ヘッド２２ａ〜２２ｃのピエゾ素子２２ｇ〜２２ｉが変形することで、噴出ノズル２２ｄ〜２２ｆから流路３内に液滴が噴出されることとなる。このように、操作部９から受け付けた流体の噴射指示に応じて排出ヘッド２２ａ〜２２ｃから液滴が流路３に噴出されることから、ユーザの所望のタイミングで流路３内に液滴を噴出させることが可能となる。なお、この液滴の流路３に対する噴出は、ユーザによるポンプ５の押圧操作タイミングを考慮して実行される。
【００３６】
一方、操作検出部７３から噴射指示検出信号を受け取ると、全体制御部７０から音声制御部７５に対してポンプ５の押圧操作タイミングを報知するための音声データ（報知音）の出力を指示する報知音出力指示信号が送出される（ＳＴ３５）。そして、全体制御部７０から表示制御部７４に対してポンプ５の押圧操作タイミングを報知するための画面データ（報知画面）の表示を指示する報知画面表示指示信号が送出される（ＳＴ３６）。
【００３７】
この報知音出力指示信号を受け取ると、音声制御部７５から音声出力部１２に対して報知音の出力が指示される（ＳＴ３７）。これに応じて音声出力部１２から報知音が出力される。一方、この報知画面表示指示信号を受け取ると、表示制御部７４から表示部１０に対して報知画面の表示が指示される（ＳＴ３８）。これに応じて表示部１０において報知画面が表示される。なお、これらの報知音及び報知画面は、流路３に噴出された液滴を、ポンプ５の押下操作に伴って流路３内に発生する気流により押し流すことができるタイミングで出力及び表示されることが好ましい。例えば、ユーザが報知音等を確認してからポンプ５を押下するまでのタイムラグを考慮してこれらの報知音及び報知画面を出力及び表示することが考えられる。この場合には、適切なポンプ５の押圧操作タイミングによる押圧操作をユーザに促すことができ、液滴が流路３の内壁等に付着する事態を効果的に回避することが可能となる。
【００３８】
なお、これらの報知音や報知画面は、予め携帯電話機１において保持されているものとする。たとえば、報知音としては、「ポンプを押して下さい。」などの音声データが考えられる。一方、報知画面としては、ポンプを押圧する際の映像を含む画面データなどが考えられる。これらの報知音及び報知画面を確認したユーザがポンプ５の押圧操作を行うことで、流路３に噴出された液滴がポンプ５の押圧操作に伴って発生する気流により押し流され、噴射孔４から携帯電話機１の外部に噴射される。このとき、液滴は、流体内の空気と共に噴射されることとなる。このため、液滴を単独で噴射（噴霧）する場合と比べて離れた位置まで噴射することが可能となる。
【００３９】
なお、ここでは、全体制御部７０において、噴出指示信号の送出（ＳＴ３３）、報知音出力指示信号の送出（ＳＴ３５）、報知画面表示指示信号の送出（ＳＴ３６）の順序に従って処理を行う場合について示しているが、これらの順序は特に限定されるものではない。ポンプ５に対する押圧操作に伴って発生する気流によって、流路３内に噴出された液滴を噴射孔４から噴射することができれば、いかなる順序で処理を行うようにしても良い。
【００４０】
一方、携帯電話機１に対して外部から着信信号が入力された場合、図４に示すように、通信部８を介して通信制御部７２により着信が検出される（ＳＴ４１）。着信を検出すると、通信制御部７２から全体制御部７０に対してその旨を示す着信通知信号が送出される（ＳＴ４２）。なお、外部からの着信信号には、例えば、音声通話着信や電子メール着信等の種別が存在することから、これらの種別を着信通知信号に含めるようにしても良い。
【００４１】
この着信通知信号を受け取ると、全体制御部７０から排出制御部７１に対して噴出を指示する噴出指示信号が送出される（ＳＴ４３）。この噴出指示信号を受け取ると、排出制御部７１から排出ヘッド２２ａ〜２２ｃに対して液滴の噴出を指示する電気信号が出力される（ＳＴ４４）。これに応じて排出ヘッド２２ａ〜２２ｃのピエゾ素子２２ｇ〜２２ｉが変形することで、噴出ノズル２２ｄ〜２２ｆから流路３内に液滴が噴出されることとなる。このように、装置本体に対する着信検出に応じて排出ヘッド２２ａ〜２２ｃから液滴が噴出されることから、音声通話着信やメール着信等のタイミングに応じて流路３内に液滴を噴出させることが可能となる。なお、この液滴の流路３に対する噴出は、ユーザによるポンプ５の押圧操作タイミングを考慮して実行される。
【００４２】
一方、通信制御部７２から着信通知信号を受け取ると、全体制御部７０から音声制御部７５に対して、報知音としての機能を有する着信音の出力を指示する着信音出力指示信号が送出される（ＳＴ４５）。そして、全体制御部７０から表示制御部７４に対して、報知画面としての機能を有する着信画面の表示を指示する着信画面表示指示信号が送出される（ＳＴ４６）。
【００４３】
この着信音出力指示信号を受け取ると、音声制御部７５から音声出力部１２に対して着信音の出力が指示される（ＳＴ４７）。これに応じて音声出力部１２から着信音が出力される。一方、この着信画面表示指示信号を受け取ると、表示制御部７４から表示部１０に対して着信画面の表示が指示される（ＳＴ４８）。これに応じて表示部１０において着信画面が表示される。
【００４４】
なお、これらの着信音や着信画面は、原則として上述した報知音や報知画面と同等の内容を含み、上述した報知音や報知画面と同等のタイミングで出力されるものである。このような着信音や着信画面を出力する場合には、着信音又は着信画面でポンプ５の押圧操作タイミングを報知することができるので、通常の処理との違和感を覚えさせることなく、適切なポンプ５の押圧操作タイミングによる押圧操作をユーザに促すことが可能となる。そして、これらの着信音及び着信画面を確認したユーザがポンプ５の押圧操作を行うことで、流路３に噴出された液滴が空気と混合され、噴射孔４から携帯電話機１の外部に噴射される。この場合、上述したのと同様に、液滴を単独で噴射（噴霧）する場合と比べて離れた位置まで噴射することが可能となる。
【００４５】
なお、ここでは、全体制御部７０において、噴出指示信号の送出（ＳＴ４３）、着信音出力指示信号の送出（ＳＴ４５）、着信画面表示指示信号の送出（ＳＴ４６）の順序に従って処理を行う場合について示しているが、これらの順序は特に限定されるものではない。ポンプ５に対する押圧操作に伴って発生する気流によって、流路３内に噴出された液滴を噴射孔４から噴射することができれば、いかなる順序で処理を行うようにしても良い。
【００４６】
図５は、本実施の形態に係る携帯電話機１の外観図である。図５に示すように、携帯電話機１においては、筐体１ａに操作部９を構成する操作ボタンが設けられている。操作ボタンには、十字ボタン９ａ及び決定ボタン９ｂが設けられると共に、その周囲に４つのファンクションボタン９ｃが設けられている。また、これらのボタンの下方側に通話を指示する通話ボタン９ｄ、終話を指示する終話ボタン９ｅ及びクリアボタン９ｆが設けられている。さらに、これらのボタンの下方側に数字ボタン９ｇが設けられている。
【００４７】
上述した流路３は、数字ボタン９ｇのうち、最も左方側に配列された１列の内部側の領域に配設される。噴射孔４は、この流路３の延長上である筐体１ａの端部に設けられている。また、ポンプ５は、通話ボタン９ｄに一体的に組み込まれている。すなわち、ポンプ５は、その被押圧部が通話ボタン９ｄの上面で構成されている。したがって、通話ボタン９ｄを押圧することでポンプ５が押圧されることとなる。このようにポンプ５を通話ボタン９ｄに一体的に組み込むことにより、装置本体における操作ボタンのレイアウトを維持しつつ、流路３内の流体の噴射に用いられるポンプ５を携帯電話機１に配設することが可能となる。そして、この場合、例えば、図４に示すシーケンスに沿って処理を実行する場合において、通話ボタン９ｄにより通話を指示することにより流体が噴射孔４から噴射することが可能となる。
【００４８】
以上説明したように、本実施の形態に係る携帯電話機１によれば、排出機構２から排出された液滴を押し流す流体が流れる流路３を設け、この流路３内の液滴を含む流体を噴射孔４から噴射するようにしたことから、液滴を単独で噴射（噴霧）する場合と比べて離れた位置まで液滴を含む流体を噴射することができるので、感知対象となる液滴を含む流体の噴射距離を確保して当該液滴をユーザが感知し易い携帯電話機１を提供することが可能となる。
【００４９】
特に、本実施の形態に係る携帯電話機１においては、ユーザからの押圧操作を受け付けて流路３内の液滴を含む流体を噴射孔４から噴射させる圧力を発生させるポンプ５を備えている。これにより、ポンプ５に対する押圧操作に伴って発生する圧力により流路３内の液滴を含む流体を噴射できることから、流体を噴射する際のエネルギーをユーザの押圧操作によって供給することができるので、電力消費を必要とすることなく、液滴を含む流体をユーザが感知し易い位置まで噴射することが可能となる。
【００５０】
（実施の形態２）
実施の形態１に係る携帯電話機１の排出機構２においては、流路３の内底面に連結された噴出ノズル２２ｄ〜２２ｆを設け、噴出ノズル２２ｄ〜２２ｆから流路３内に液滴を噴出させている。この場合において、液滴が噴射孔４に向けて適切に押し流されるように、排出ヘッド２２ａ〜２２ｃからの液滴の噴出速度を調整すると共に、ポンプ５の押圧操作タイミングを調整させている。実施の形態２に係る携帯電話機１の排出機構２においては、流路３の内底面から流路３に突出するノズルを設け、その先端部から液滴を流路３上に排出させる点で実施の形態１に係る排出機構２と異なる。
【００５１】
図６は、実施の形態２に係る携帯電話機１における要部を説明するための模式図である。図６に示すように、実施の形態２に係る携帯電話機１は、排出機構２が流路３の内底面から流路３に突出するノズル２２ｊ〜２２ｌを有する点で実施の形態１に係る携帯電話機１と相違する。例えば、ノズル２２ｊ〜２２ｌは、流路３の中央近傍まで突出するように構成されるが、これに限定されるものではない。なお、その他の構成については、実施の形態１に係る携帯電話機１と同一であるため、同一の符号を付与し、その説明を省略する。
【００５２】
実施の形態２に係る携帯電話機１の排出機構２において、排出ヘッド２２ａ〜２２ｃは、制御部７の制御の下、タンク２１から供給された液体Ｌを、ノズル２２ｊ〜２２ｌの先端部から染み出すように排出させる。この場合において、液体Ｌは、ノズル２２ｊ〜２２ｌの先端部から膨出した状態とされる。この状態でポンプ５がユーザにより押下されると、これに伴って発生する気流によりノズル２２ｊ〜２２ｌの先端部から膨出した液体Ｌがそこから離れ、液滴として排出されることとなる。なお、排出ヘッド２２ａ〜２２ｃからの液滴は、ポンプ５の押圧操作に伴う圧力により流路３の中央近傍で押し流されることから、実施の形態１に係る排出ヘッド２２ａ〜２２ｃと異なり、その噴出速度等を調整する必要はない。
【００５３】
なお、実施の形態２に係る携帯電話機１においても、実施の形態１と同様に、制御部７は、排出ヘッド２２ａ〜２２ｃの駆動タイミングと、ポンプ５の押圧操作タイミングとを調整するために、ポンプ５の押圧操作タイミングを報知する。なお、ポンプ５の押圧操作タイミングを報知する際の基本的な考え方は、実施の形態１に係る携帯電話機１と同様である。すなわち、流路３にノズル２２ｊ〜２２ｌの先端部から膨出された液体Ｌを、ポンプ５の押下操作に伴って流路３内に発生する気流により押し流すことができるタイミングで報知される。これを確認したユーザがポンプ５を押下することにより、適切に液滴を含む流体を噴射孔４から噴射することが可能となる。なお、実施の形態２に係る携帯電話機１においては、実施の形態１と異なり、流路３内に液滴が噴出されることがないため、液滴が流路３の内壁面に付着する事態は少ない。
【００５４】
以上説明したように、実施の形態２に係る携帯電話機１においても、ポンプ５に対する押圧操作に伴って発生する気流により、排出機構２から排出された液体Ｌを液滴として押し流し、この液滴を含む流体を噴射孔４から噴射するようにしたことから、液滴を単独で噴射（噴霧）する場合と比べて離れた位置まで液滴を含む流体を噴射することができるので、感知対象となる液滴を含む流体の噴射距離を確保して当該液滴をユーザが感知し易い携帯電話機１を提供することが可能となる。
【００５５】
本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【００５６】
例えば、上記実施の形態においては、噴射孔４を固定し、一定方向にのみ液滴を含む流体を噴射するように構成されている。しかしながら、ユーザにおける流体の感知のし易さを考慮すると、その噴射方向を変更することが好ましい。特に、ユーザにおける携帯電話機１の利用態様（例えば、音声通話時やメール作成時）に応じて噴射方向を変更した場合には、ユーザにとってより流体を感知し易くすることが可能となる。流体の噴射方向を変更する場合には、例えば、噴射孔４の位置を変更することが考えられる。
【００５７】
図７は、本実施の形態の変形例に係る携帯電話機１の外観図である。図７において、図５と同一の構成については同一の符号を付与し、その説明を省略する。図７に示すように、この携帯電話機１は、噴射孔４が２つ設けられている点（噴射孔４ａ、４ｂ）、並びに、これらの噴射孔４が離間した位置に設けられている点で上記実施の形態に係る携帯電話機１と相違する。ここでは、噴射孔４ａは、十字ボタン９ａの上方側に配置され、噴射孔４ｂは、数字ボタン９ｇの中央部分の左方側に配置された場合について示している。
【００５８】
図８は、本実施の形態の変形例に係る携帯電話機１の構成を示すブロック図である。図８において、図２と同一の構成については同一の符号を付与し、その説明を省略する。図８に示すように、この携帯電話機１は、噴射位置を変更可能な噴射ユニット１３を有する点、並びに、この噴射ユニット１３における噴射位置を制御する噴射位置制御部７６を制御部７が有する点で上記実施の形態に係る携帯電話機１と相違する。
【００５９】
噴射ユニット１３は、筐体１ａに設けられた２つの噴射孔４ａ、４ｂの一方を流路３と連通させる一方、他方を流路３から遮断する役割を果たす。ここでは、噴射ユニット１３は、噴射孔４ａ、４ｂを選択的に遮断するカバー部材と、このカバー部材を駆動するソレノイド等の駆動部材とで構成されるものとするが、この他の構成を採用しても良い。ポンプ５（通話ボタン９ｄ）に対する押圧操作が行われた場合において、流路３と連通する噴射孔４ａ（４ｂ）からは流体が噴射する一方、流路３から遮断された噴射孔４ｂ（４ａ）からは流体が噴射されることはない。
【００６０】
噴射位置制御部７６は、噴射ユニット１３に対して駆動信号を出力することで、駆動部材を駆動させ、噴射孔４ａ、４ｂの一方を流路３と連通させる一方、他方を流路３から遮断する。この場合において、例えば、噴射位置制御部７６は、携帯電話機１における現在の動作モードに応じて流路３と連通する噴射孔４ａ、４ｂを指示する。ここで、動作モードとは、例えば、音声通話を実行する音声通話モードや電子メールの作成や通信を実行するメール処理モード等が挙げられる。これらの動作モードは、全体制御部７０からの制御信号により噴射位置制御部７６に通知される。
【００６１】
以下、携帯電話機１における動作モードに応じて噴射ユニット１３を駆動する場合の動作の具体例について説明する。ここでは、動作モードが音声通話モードと、メール処理モードとである場合について説明する。なお、携帯電話機１における動作モードについては、これらに限定されるものではない。
【００６２】
例えば、全体制御部７０から現在の動作モードが音声通話モードである旨の制御信号を受け取ると、噴射位置制御部７６は、噴射ユニット１３に対して噴射孔４ｂを流路３と連通させる一方、噴射孔４ａを流路３から遮断する旨の駆動信号を出力する。噴射ユニットにおいては、この駆動信号に応じて噴射孔４ｂが流路３と連通される一方、噴射孔４ａが流路３から遮断される。この場合において、ポンプ５（通話ボタン９ｄ）が押圧されると、流路３内の流体が噴射孔４ｂのみから噴射される。これにより、携帯電話機１を耳に当てて通話しているユーザの鼻孔の近傍に流体を噴射することが可能となる。
【００６３】
一方、全体制御部７０から現在の動作モードがメール処理モードである旨の制御信号を受け取ると、噴射位置制御部７６は、噴射ユニット１３に対して噴射孔４ａを流路３と連通させる一方、噴射孔４ｂを流路３から遮断する旨の駆動信号を出力する。噴射ユニットにおいては、この駆動信号に応じて噴射孔４ａが流路３と連通される一方、噴射孔４ｂが流路３から遮断される。この場合において、ポンプ５（通話ボタン９ｄ）が押圧されると、流路３内の流体が噴射孔４ａのみから噴射される。これにより、携帯電話機１に対向して操作しているユーザの鼻孔の近傍に流体を噴射することが可能となる。
【００６４】
また、上記実施の形態においては、流路３に液滴を噴出させる排出機構２が、ピエゾ方式のインクジェットヘッドから構成される排出ヘッド２２ａ〜２２ｃを備える場合について説明している。しかしながら、排出機構２の構成については、これに限定されるものではなく適宜変更が可能である。例えば、ポンプ５の押圧状態からの復帰動作に伴う流路３の減圧に応じて噴出ノズル２２ｄ〜２２ｇから液滴を噴出させるようにしても良い。この場合には、ポンプ５の押圧操作が行われると、自動的に後続する噴射動作用の液滴を噴出ノズル２２ｄ〜２２ｇから噴出させることができるので、電力を消費することなく流路３に対して液滴を噴出することが可能となる。
【００６５】
さらに、上記実施の形態においては、排出機構２が携帯電話機１の筐体１ａに一体的に設けられている場合について説明している。しかしながら、排出機構２の構成についてはこれに限定されるものではなく適宜変更が可能である。例えば、携帯電話機１の筐体１ａに対して排出機構２を交換可能に設けるようにしても良い。この場合には、排出ヘッド２２ａ〜ｃの噴出不良に伴うメンテナンスや、タンク２１に対する液体Ｌの補充動作を容易に行うことが可能となる。
【００６６】
上記実施の形態においては、タンク２１に収納される液体Ｌは、特に限定されるものではない。例えば、化学的に調合した芳香液をタンク２１に収納し、噴射孔４からこの芳香液の液滴を含む流体を噴射することが考えられる。この場合には、感知対象となる芳香液の液滴を含む流体の噴射距離を確保することができるので、当該芳香液の液滴をユーザが感知し易い携帯電話機１を提供することが可能となる。また、芳香液以外にも薬品等のユーザにとって有用な液体を収納するようにしても良い。この場合には、ユーザにとって有用な液体の液滴を含む流体を噴射することが可能となる。
【００６７】
また、タンク２１に収納される液体Ｌが揮発性を有する場合などにおいては、噴射孔４の外部に蓋を設けるようにしても良い。これにより、液体Ｌの成分の流出を防ぐことが可能になる。なお、この機能は、上述した噴射ユニット１３に組み込んでもよい。
【図面の簡単な説明】
【００６８】
【図１】本発明の実施の形態１に係る携帯電話機における要部を説明するための模式図である。
【図２】上記実施の形態に係る携帯電話機の構成を示すブロック図である。
【図３】上記実施の形態に係る携帯電話機において、液滴を噴出させると共にポンプの押圧操作タイミングを報知する場合の動作について説明するためのシーケンス図である。
【図４】上記実施の形態に係る携帯電話機において、液滴を噴出させると共にポンプの押圧操作タイミングを報知する場合の動作について説明するためのシーケンス図である。
【図５】上記実施の形態に係る携帯電話機の外観図である。
【図６】本発明の実施の形態２に係る携帯電話機における要部を説明するための模式図である。
【図７】上記実施の形態の変形例に係る携帯電話機の外観図である。
【図８】上記実施の形態の変形例に係る携帯電話機の構成を示すブロック図である。
【符号の説明】
【００６９】
１  携帯電話機
１ａ  筐体
２  排出機構
２１  タンク
２１ａ  バルブ
２２ａ〜２２ｃ  液滴排出ヘッド（排出ヘッド）
２２ｄ〜２２ｆ  噴出ノズル
２２ｇ〜２２ｉ  ピエゾ素子
２２ｊ〜２２ｌ  ノズル
２３  供給管
３  流路
４、４ａ、４ｂ  噴射孔
５  ポンプ
５ａ  チャンバー部
６  バルブ
７  制御部
７０  全体制御部
７１  排出制御部
７２  通信制御部
７３  操作検出部
７４  表示制御部
７５  音声制御部
７６  噴射位置制御部
８  通信部
９  操作部
１０  表示部
１１  音声入力部
１２  音声出力部
１３  噴射ユニット
【図１】
0005112155.tif 000002
【図２】
0005112155.tif 000003
【図３】
0005112155.tif 000004
【図４】
0005112155.tif 000005
【図５】
0005112155.tif 000006
【図６】
0005112155.tif 000007
【図７】
0005112155.tif 000008
【図８】
0005112155.tif 000009